(57)【特許請求の範囲】
【請求項１】
原稿を搬送しながら前記原稿に記載された内容を読み取る画像読取装置の読取り済原稿に対して印字を行なうエンドーサ装置において、
前記画像読取装置に取付けるベースの表面側に架け渡された案内部材に、前記原稿の搬送方向と略直交する幅方向に移動可能なスライダが装着され、
前記スライダには開閉可能なカバーが保持され、
前記カバー内には、印字手段及び用紙検知センサ、前記印字手段及び前記用紙検知センサからのハーネスが接続された中継基板が設けられ、
前記ベース部材の裏面側には前記画像読取装置本体側と接続するケーブルを有する制御基板が設けられ、
前記中継基板と前記制御基板とは、前記ベースの原稿幅方向に形成された切り欠き部を前記原稿幅方向に移動可能な接続ケーブルを介して接続され、
前記制御基板及び前記接続ケーブルの伸縮しろ部は、このエンドーサ装置を前記画像読取装置本体側に搭載したときに前記画像読取装置本体の空間内に収納される
ことを特徴とするエンドーサ装置。
【請求項２】
原稿を搬送しながら原稿に記載された内容を読み取るとともに、読取り済みの原稿に対してエンドーサ装置によって印字を行なう画像読取装置において、前記エンドーサ装置が請求項１に記載のエンドーサ装置であることを特徴とする画像読取装置。
【発明の詳細な説明】
【技術分野】
【０００１】
本発明はエンドーサ装置及び画像読取装置に関する。
【背景技術】
【０００２】
一般に、原稿画像を読み取る画像読取装置としてスキャナ装置、画像読取装置を備えるファクシミリ装置やコピー装置（複写機）、プリンタ／ファックス／コピアの機能を複合した複合機などの各種画像形成装置が知られている。なお、本明細書ではエンドーサ装置を備える画像読取装置は、スキャナ装置などの単機能の装置だけなく、ファクシミリ装置、複写機、複合機などの多機能の画像形成装置をも意味するものとする。
【０００３】
このような画像読取装置において、例えば特許文献１などにも記載されているように、原稿が読み込まれたことの確認や、その読み取った原稿の内容を後で検索する目的で、原稿の端部や裏面のいずれかに記号や文字列等の印字を行う印字装置としてのエンドーサ装置が設けられているものがある。
【特許文献１】特開平５−１４５７１４号公報
【０００４】
このようなエンドーサ装置は、確実に原稿の読取りが完了した後に印字を行なうために、読取装置の読取位置よりも下流側に配置されているものが多く、特許文献１に記載の装置では、排出ローラの直後、かつ、排紙トレイ上に配置し、電気的接続ケーブルによって画像読取装置本体と電気的に接続するようにしている。
【０００５】
また、画像読取装置に搭載されるエンドーサ装置は、印字位置を原稿用紙の任意位置に印字する目的にて、原稿幅方向にスライド可能とされ、エンドーサ装置と画像読取装置本体とを接続する電気的接続ケーブルは、移動範囲分の余裕を持った長さにて設定され、エンドーサ装置の移動に連れてケーブルが伸縮するようにしている。
【０００６】
さらに、エンドーサ装置は、通常、画像読取装置のオプション装置として扱われることから、設置のし易さを考慮し、エンドーサ装置と画像読取装置本体とを接続する電気的接続ケーブルは、上述したように画像読取装置外部にて接続される構造としている。
【発明の開示】
【発明が解決しようとする課題】
【０００７】
しかしながら、上述したようにエンドーサ装置と画像読取装置とを画像読取装置本体の外部に露出する電気的接続ケーブルを介して接続した場合、エンドーサ装置による印字位置変更のために電気的接続ケーブルを長くしなければならないことから、画像読取装置本体の外側に接続ケーブルが垂れ下がって見苦しかったり、近傍者が引っ掛けてしまって接続部が外れてしまったりするおそれがある。
【０００８】
また、接続ケーブル自体が画像読取装置の排紙口にかかる、あるいは、排紙口を塞ぐなどして、排紙動作を妨害するおそれがあるために、接続ケーブルを複数箇所にて移動可能に固定する必要がある。このように、固定された接続ケーブルは、エンドーサ装置の移動により局部的に屈伸され、その屈伸部分にて内部配線が疲労し損傷するといったこともっ生じている。
【０００９】
また、エンドーサ装置としてインクジェット記録方式の印字手段を備えた場合、インクタンク若しくはインクタンクとヘッドとを一体化したヘッドユニット（カートリッジ）を、交換若しくはメンテナンスする場合、アクセス用カバーが開く構造となっているものがあるが、周囲に画像読取装置の外装や原稿トレイなどがあり、作業者がアクセスし辛い場合がある。
【００１０】
本発明は上記の課題に鑑みてなされたものであり、画像読取装置内にケーブルが収納されるエンドーサ装置及びこのエンドーサ装置を備える画像読取装置を提供することを目的とする。
【課題を解決するための手段】
【００１１】
上記の課題を解決するため、本発明に係るエンドーサ装置は、
原稿を搬送しながら前記原稿に記載された内容を読み取る画像読取装置の読取り済原稿に対して印字を行なうエンドーサ装置において、
前記画像読取装置に取付けるベースの表面側に架け渡された案内部材に、前記原稿の搬送方向と略直交する幅方向に移動可能なスライダが装着され、
前記スライダには開閉可能なカバーが保持され、
前記カバー内には、印字手段及び用紙検知センサ、前記印字手段及び前記用紙検知センサからのハーネスが接続された中継基板が設けられ、
前記ベース部材の裏面側には前記画像読取装置本体側と接続するケーブルを有する制御基板が設けられ、
前記中継基板と前記制御基板とは、前記ベースの原稿幅方向に形成された切り欠き部を前記原稿幅方向に移動可能な接続ケーブルを介して接続され、
前記制御基板及び前記接続ケーブルの伸縮しろ部は、このエンドーサ装置を前記画像読取装置本体側に搭載したときに前記画像読取装置本体の空間内に収納される
構成とした。
【００１３】
本発明に係る画像読取装置は、本発明に係るエンドーサ装置を備えたものである。
【発明の効果】
【００１４】
本発明に係るエンドーサ装置によれば、画像読取装置に取付けるベースの表面側に架け渡された案内部材に、原稿の搬送方向と略直交する幅方向に移動可能なスライダが装着され、スライダには開閉可能なカバーが保持され、カバー内には、印字手段及び用紙検知センサ、印字手段及び用紙検知センサからのハーネスが接続された中継基板が設けられ、ベース部材の裏面側には画像読取装置本体側と接続するケーブルを有する制御基板が設けられ、中継基板と制御基板とは、ベースの原稿幅方向に形成された切り欠き部を原稿幅方向に移動可能な接続ケーブルを介して接続され、制御基板及び接続ケーブルの伸縮しろ部は、このエンドーサ装置を画像読取装置本体側に搭載したときに画像読取装置本体の空間内に収納される構成としたので、画像読取装置内に接続ケーブルを収納して外部に垂れ下がったり、排紙動作を阻害することを防止できる。
【００１５】
本発明に係るエンドーサ装置によれば、本発明に係るエンドーサ装置を備えているので、接続ケーブルが外部に垂れ下がったり、排紙動作を阻害することを防止できる。
【発明を実施するための最良の形態】
【００１６】
以下、本発明の実施の形態について添付図面を参照して説明する。図１は、本発明に係るエンドーサ装置を備える画像読取装置の一例を示す斜視説明図である。
この画像読取装置は、読み取り対象原稿を固定するフラットベッドタイプと原稿を搬送しながら読み取る原稿移動タイプの両方で原稿の読み取りが可能な構成とし、原稿を搭載する原稿搭載トレイ部１０１と、原稿を給紙する原稿給紙部１０２と、原稿を搬送する原稿搬送部１０３と、原稿の表面に記載された内容を読み取る表面原稿読取り部１０４と、原稿の裏面に記載された内容を読み取る裏面原稿読取り部１０５と、原稿を搬送しないで読み取るフラットベッド原稿読取り部１０６と、原稿を排紙する原稿排紙部１０７と、排紙される原稿を積載する排紙原稿積載トレイ部１０８とを備えている。
【００１７】
原稿固定の場合、フラットベッド原稿読取り部１０６の原稿台ガラス１上に置かれた原稿は、第１ミラー２と一体に構成された照明ランプ３により照射され、その反射光は、第１ミラー２、第２ミラー４、及び第２ミラー４と一体に構成された第３ミラー５を経て、レンズ６により集束され、ＣＣＤ７に照射され光電変換される。
【００１８】
ここで、第１ミラー２と照明ランプ３並びに第２ミラー４と第３ミラー５は、走行体モータ７を駆動源として、矢示Ａ方向に移動可能となっている。
【００１９】
一方、原稿移動の場合、原稿搭載トレイ部１０１の原稿トレイ１１に積載された原稿は、原稿給紙部１０２のピックアップローラ１２によって一枚ずつ分離されて給紙され、原稿搬送部１０３のレジストローラ対１３、搬送ガイド１４、搬送ローラ１５により搬送され、表面原稿読取部１０４の読取位置Ｂを経て、搬送ローラ対１６及び原稿排紙部１０７の排紙ローラ対１７へ送り込まれ、排紙原稿積載トレイ部１０８の排紙トレイ１８上に排出される。
【００２０】
原稿は、表面原稿読取部１０４の読取位置Ｂを通過する際に、読取位置Ｂ近傍に移動され定置されている照明ランプ３により表面側が照射され、上述したように、その反射光は、第１ミラー２、第２ミラー４、及び第２ミラー４と一体に構成された第３ミラー５を経て、レンズ６により集束され、ＣＣＤ７に照射され光電変換され、原稿の表面に記載された内容が読み取られる。
【００２１】
なお、ピックアップローラ１２、レジストローラ対１３は、図示しない給紙モータによって駆動され、搬送ローラ１５、搬送ローラ対１６、排紙ローラ対１７は、図示しない搬送モータによって駆動される。
【００２２】
また、原稿移動タイプの動作において、裏面原稿読取部１０５の読取位置Ｃには密着イメージセンサ２１が設置されている。密着イメージセンサ２１は、光源であるＬＥＤ等の図示しないランプ、レンズ及びセンサ素子で構成されている。原稿は、読取位置Ｃを通過するときに、読取位置Ｂで読み取られた反対の面（裏面）を読取位置Ｃに設置されている密着イメージセンサ２１内のＬＥＤにより照射され、その反射光は密着イメージセンサ２１上のレンズにより集束され、密着イメージセンサ２１上のセンサ素子を照射し、光電変換され、原稿の裏面に記載された内容が読み取られる。
【００２３】
なお、密着イメージセンサ２１の原稿搬送路を挟んだ対向部には白色ローラ２２が設置されていて、密着イメージセンサ２１による読取時のシェーディング補正用白基準部材として使用される。
【００２４】
そして、読取位置Ｂ、Ｃに対して原稿搬送方向下流側で、原稿排紙部１０７の排紙口部３０の上方には、原稿に印字を行う本発明に係るエンドーサ装置であるエンドーサユニット３１が設置されている。
【００２５】
次に、本発明に係るエンドーサ装置（エンドーサユニット）について図２ないし図８を参照して説明する。なお、図２は同エンドーサ装置の斜視説明図、図３は同エンドーサ装置の図２と反対側から見た斜視説明図、図４は同エンドーサ装置の側面説明図、図５は同エンドーサ装置の要部斜視説明図、図６は画像読取装置の排紙部分の側面説明図、図７は同エンドーサ装置のカバー解放状態の側面説明図、図８は同エンドーサ装置のカバーを開放状態にしてヘッドユニットを取り外した状態の斜視説明図である。
【００２６】
エンドーサユニット（エンドーサ装置）３１は、上述したように画像読取装置の原稿排紙部１０７の下流直後、かつ排紙口部３０上に設置する。このエンドーサユニット３１は、画像読取装置に取付けるベース３２の表面側（画像読取装置に取り付けたときに外側になる面）に、案内部材であるスライダシャフト３３が架け渡され、このスライダシャフト３３にスライダ３４が移動可能に装着され、このスライダ３４に、原稿に印字を行なう印字手段であるカートリッジ（ヘッドユニット）３５を保持したカバー３６を開閉可能に保持している。
【００２７】
スライダ３４には、カバー３６を保持するキャッチ部材４１と、スライダフリクション４２が設けられている。また、カバー３６には、ヘッドユニット３５と、図示しない液だれ防止シャッタと、シャッタ検知センサ４３と、用紙検知センサ４４が設けられ、ヘッドユニット３５、シャッタ検知センサ４３、用紙検知センサ４４からのハーネスがそれぞれ中継基板４５にて統合され、中継基板４５には統合された電気的な接続ケーブル４６が接続されている。
【００２８】
また、ベース３２の裏面側（画像読取装置に取り付けたときに内側になる面）には、制御基板５１が取付けられている。この制御基板５１には画像読取装置本体側と接続するためのコネクタ５２を有するケーブル５３が接続されている。そして、中継基板４５から引き出したケーブル４６の他端部側はベース３２の原稿幅方向全域にわたって設けた切り欠き部３７を介して制御基板５１に接続している。
【００２９】
さらに、スライダ３４とカバー３６とは図４に示すように回動部６０を介して回動可能に連結し、カバー３６を回動部６０を支点として図４に示す矢示方向に開閉可能にスライダ３４に保持している。そして、この開閉可能なカバー３６は、スライダ３４に設けられたキャッチ部３７にて固定保持することによって閉状態に保持される。この実施形態ではキャッチ部材４１はマグネット式としているが、ラッチ式など開閉可能な状態でカバーを保持できる方式であれば良い。
【００３０】
ヘッドユニット３５は、記録液の液滴を吐出する記録ヘッド及び記録ヘッドに記録液を供給する記録液タンクとを一体化したものである。なお、記録ヘッドと記録液タンクを別体の構成とすることもできる。
【００３１】
カバー３６は、内部にフレーム部３９を持ち、このフレーム部３９及びカバー３６には前述したように液だれ防止シャッタ、シャッタ検知センサ４３、用紙検知センサ４４がヘッドユニット３５とともに固定されている。
【００３２】
一方、画像読取装置本体側の原稿排紙部１０７は、図６に示すように、原稿搬送経路である排紙ガイド板６１下側に排紙ローラ対１７を構成する原稿排紙ローラ６２とその相対する位置にピンチコロ６３が配置され、その原稿排紙部１０７の上側は、原稿トレイ１１の底面６４と挟まれた空間６５が予め確保されており、空間６５には予め設けられたエンドーサ接続用のコネクタ部６６が備えられている。そして、エンドーサ装置３１を備えない画像読取装置では、図６に示すように、空間６５は排紙カバー６７によって目隠しされた状態になっている。
【００３３】
そこで、エンドーサユニット３１を画像読取装置に設置するときには、排紙カバー６７を取り外して、空間６５にて待ち受けている接続用コネクタ部６６を露出させる。そして、接続用コネクタ部６６と、前述したエンドーサ装置３１の制御基板５１から引き出されている画像読取装置本体側と接続するためのコネクタ５２を接続した後、排紙カバー６７と同位置にベース３２を固定することで、エンドーサユニット３１を画像読取装置本体に搭載する。
【００３４】
このようにしてエンドーサユニット３１を画像読取装置本体に搭載したとき、ベース３２の背面側に搭載される制御基板５１は、上述した画像読取装置本体の空間６５に収納され、通常、使用者からは可触不可となる。
【００３５】
また、エンドーサユニット３１の制御基板５１と中継基板４５を電気的に接続する接続ケーブル４６は、ベース３２に設けた切り欠き部３７を介し、空間６５内の制御基板５１と中継基板４５を接続しており、ヘッドユニット３５が移動するために必要な接続ケーブル４６の伸縮しろ部４６ａも空間６５内に収納されて、自由に屈伸可能となり、画像読取装置本体の外部に露出することがない。
【００３６】
このように、エンドーサユニット３１は、原稿の搬送方向と略直交する幅方向に移動可能なスライダ３４に原稿に印字を行う印字手段としてのヘッドユニット３５を有し、画像読取装置本体に搭載したときに電気的な接続を行なう接続ケーブル４６が画像読取装置本体の外部に露出しない構成となっているので、接続ケーブルに使用者が触れることがなくなる。また、接続ケーブル４６はベース３２の切り欠き部３７と画像読取装置本体との間で上下方向に規制されているので、原稿排紙部１０７の排紙口部３０に垂れ下がるなどして原稿の排出を阻害することもない。
【００３７】
また、エンドーサユニット３１のカバー３６は、上述したように回動部６０を支点として図４に示す矢示方向に開閉可能にスライダ３４に保持している。そして、この開閉可能なカバー３６は、スライダ３４に設けられたキャッチ部材４１にて閉状態に保持される。この実施形態ではキャッチ部材４１はカバー３６をマグネットで吸着保持するマグネット式としているが、ラッチ式など開閉可能な状態でカバーを保持できる方式であれば良い。
【００３８】
したがって、図７に示すように、カバー３６を開状態にすると、ヘッドユニット３５もカバー３６とともに解放空間７０に向かって解放される。これにより、図８にも示すように、ヘッドユニット３５の交換やメンテナンス作業を容易に行なうことができるようになる。
【００３９】
さらに、スライダ３４のキャッチ部材４１について説明する。スライダ３４に設けられたキャッチ部材４１、図３及び図５にも示すように、内部を空洞７５とし、この空洞７５内に中継基板４５から引き出した接続ケーブル４６を通して、画像読取装置の内部空間６５に直接導くことで、空洞７５をガイド部材としている。これにより、接続ケーブルの損傷を防止することができる。
【図面の簡単な説明】
【００４０】
【図１】本発明に係る画像読取装置用ドライバによって制御される画像読取装置の一例の全体構成の概要を示す説明図である。
【図２】同エンドーサ装置の斜視説明図である。
【図３】同エンドーサ装置の図２と反対側から見た斜視説明図である。
【図４】同エンドーサ装置の側面説明図である。
【図５】同エンドーサ装置の要部拡大斜視説明図である。
【図６】同画像読取装置の排紙部分の側面説明図である。
【図７】同エンドーサ装置のカバー解放状態の側面説明図である。
【図８】同エンドーサ装置のカバーを開放状態にしてヘッドユニットを取り外した状態の斜視説明図である。
【符号の説明】
【００４１】
１１…原稿トレイ
１２…ピックアップローラ
１３…レジストローラ対
１４…搬送ドラム
１５…搬送ローラ
１６…搬送ローラ対
１７…排紙ローラ対
１８…排紙トレイ
３０…排紙口部
３１…エンドーサユニット（エンドーサ装置）
３２…ベース
３４…スライダ
３５…ヘッドユニット
３６…カバー
３７…切り欠き部
４１…キャッチ部材
４５…中継基板
４６…接続ケーブル
５１…制御基板
６５…空間
７５…空洞
１０１…原稿搭載トレイ部
１０２…原稿給紙部
１０３…原稿搬送部
１０４…表面原稿読取部
１０５…裏面原稿読取部
１０６…フラットベッド原稿読取部
１０７…原稿排紙部
１０８…排紙原稿積載トレイ部
【図１】
0004602867.tif 000002
【図２】
0004602867.tif 000003
【図３】
0004602867.tif 000004
【図４】
0004602867.tif 000005
【図５】
0004602867.tif 000006
【図６】
0004602867.tif 000007
【図７】
0004602867.tif 000008
【図８】
0004602867.tif 000009